(57)【要約】      （修正有）【課題】倒伏に対する安定性に優れ、組立ても容易なグリーンカーテン用組立体キット及び組立体を提供する。【解決手段】グリーンカーテン用組立体キット及び組立体１１は、平面上に置かれる２つの植木用容器１２と、各植木用容器から上方に延びる縦支柱１７と、縦支柱間に張られるネット２１とを備える。少なくとも一方の植木用容器は、少なくとも一部が平面の上方に位置する底壁と、上記少なくとも一部に形成された支柱挿通孔とを含む。少なくとも一方の植木用容器と関連する縦支柱は、支柱挿通孔に挿通されて平面上に垂直に起立される。組立体キット及び組立体は、関連する縦支柱を平面上で起立状態に支持する支柱支持装置をも備える。各植木用容器は、投入される栽培土２５と共にグリーンカーテン用組立体の重石を構成し、少なくとも一方の植木用容器に投入される栽培土は、関連する縦支柱の周りを埋めてこれを起立状態にさらに支持する。【選択図】図１
0003173695.tif 000002
【実用新案登録請求の範囲】
【請求項１】
グリーンカーテン用組立体キットであって、
グリーンカーテン用組立体の組立て時、平面上に置かれる２つの植木用容器と、
各植木用容器から上方に延びる縦支柱と、
縦支柱間に張られるネットとを備え、
少なくとも一方の植木用容器は、少なくとも一部が前記平面の上方に位置する底壁と、前記少なくとも一部に形成された支柱挿通孔とを含み、
前記少なくとも一方の植木用容器と関連する縦支柱は、前記支柱挿通孔に挿通されて前記平面上に垂直に起立され、
グリーンカーテン用組立体キットは、さらに、前記関連する縦支柱を前記平面上に起立された状態に支持する支柱支持装置を備え、
各植木用容器は、各植木用容器に投入される栽培土と共にグリーンカーテン用組立体の重石を構成し、前記少なくとも一方の植木用容器に投入される栽培土は、前記関連する縦支柱の周りを埋めてこれを起立された状態にさらに支持する、グリーンカーテン用組立体キット。
【請求項２】
前記支柱支持装置は、前記関連する縦支柱の下端に設けられたフランジを備え、前記フランジは、前記支柱挿通孔よりも大きい径又は幅を有し、前記底壁の下の、前記平面上に位置付けられて、前記関連する縦支柱を起立された状態に支持する、請求項１に記載のグリーンカーテン用組立体キット。
【請求項３】
前記支柱支持装置は、前記少なくとも一方の植木用容器に装着される上部支持具を備え、前記上部支持具は、前記少なくとも一方の植木用容器内の所定の高さに、前記支柱挿通孔と整列する上部支柱挿通孔を形成し、前記支柱挿通孔と前記上部支柱挿通孔とに挿通された縦支柱を起立された状態に支持する、請求項１に記載のグリーンカーテン用組立体キット。
【請求項４】
前記支柱支持装置は、前記関連する縦支柱の下端に設けられたフランジと、前記少なくとも一方の植木用容器に装着される上部支持具とを備え、前記フランジは、前記支柱挿通孔よりも大きい径又は幅を有し、前記底壁の下の、前記平面上に位置付けられて、前記関連する縦支柱を起立された状態に支持し、前記上部支持具は、前記少なくとも一方の植木用容器内の所定の高さに、前記支柱挿通孔と整列する上部支柱挿通孔を形成し、前記支柱挿通孔と前記上部支柱挿通孔とに挿通された縦支柱を起立された状態に支持する、請求項１に記載のグリーンカーテン用組立体キット。
【請求項５】
前記上部支持具は、前記少なくとも一方の植木用容器の内側面の少なくとも一部上を周方向に延びる大径のリング部と、前記大径のリング部の内側に位置し前記大径のリング部と連結される小径のリング部とを備え、前記大径のリング部は前記内側面に係合され、前記小径のリング部は前記上部支柱挿通孔を形成する、請求項３又は４に記載のグリーンカーテン用組立体キット。
【請求項６】
２つの植木用容器の間には、１つ又は複数の別の植木用容器を配置することができる、請求項１に記載のグリーンカーテン用組立体キット。
【請求項７】
２つの植木用容器の直ぐ上で２つの縦支柱を連結する下側横支柱をさらに備え、前記下側横支柱は、栽培土と共に重石を構成する２つの植木用容器を縦支柱を介して一体的に結合する、請求項１に記載のグリーンカーテン用組立体キット。
【請求項８】
ネットが張られる縦支柱間の距離は、前記平面上で一方の又は各植木用容器を他方の植木用容器に対して移動させることにより変更可能である、請求項１に記載のグリーンカーテン用組立体キット。
【請求項９】
前記少なくとも一方の植木用容器を垂直軸の周りで回転させて、前記支柱挿通孔及びこれに挿通される前記縦支柱の周方向位置を変えることにより、ネットが植木用容器の上端開口の上方を横切る位置を変更可能である、請求項１に記載のグリーンカーテン用組立体キット。
【請求項１０】
グリーンカーテン用組立体であって、
平面上に置かれる２つの植木用容器と、
各植木用容器から上方に延びる縦支柱と、
縦支柱間に張られるネットとを備え、
少なくとも一方の植木用容器は、少なくとも一部が前記平面の上方に位置する底壁と、前記少なくとも一部に形成された支柱挿通孔とを含み、
前記少なくとも一方の植木用容器と関連する縦支柱は、前記支柱挿通孔に挿通されて前記平面上に垂直に起立され、
グリーンカーテン用組立体は、さらに、前記関連する縦支柱を前記平面上に起立された状態に支持する支柱支持装置を備え、
各植木用容器は、各植木用容器に投入される栽培土と共にグリーンカーテン用組立体の重石を構成し、前記少なくとも一方の植木用容器に投入される栽培土は、前記関連する縦支柱の周りを埋めてこれを起立された状態にさらに支持する、グリーンカーテン用組立体。
【考案の詳細な説明】
【技術分野】
【０００１】
本考案は、グリーンカーテン用組立体キット及びグリーンカーテン用組立体に関する。
【背景技術】
【０００２】
住居の窓面の外側にネット等を介して育成されるいわゆるグリーンカーテンは、夏場等に、つる性の植物の枝や葉や花によって強い日差しを遮り、居住者に快適な緑陰を提供する。特に、午後に強い日差しが照りつける西向きの部屋では、遮光、遮熱をもたらすグリーンカーテンに対する要望は大きい。実際、夏の暑い日に、葉の形をした陰が室内の床の上で揺れるのを眺めるのは、それだけで涼味を喚起するものである。また、近年、都市部では、ヒートアイランド現象とも相俟って、夏期の暑熱は相当なものであり、クーラーは必需品となっているが、グリーンカーテンによってクーラーの稼動率を抑え、消費電力を低減させることに対する期待も大きい。グリーンカーテンによって、直射日光からパソコン等の電子機器を保護することもできる。グリーンカーテンによって野菜を育てることもできる。グリーンカーテンを室内の目隠しに利用することもできる。しかしながら、窓面の外側が、ネット等を設置するのに適した構造となっていない場合も多い。例えば、マンションのベランダ等である。通常、マンションのベランダ等には、くい打ちをしたり、ネット用の留め具を取付けたりするのに適当な個所がない。
【０００３】
そこで、マンションのベランダ等にも設置でき、窓の外側を緑化できる構造体が提案されている（特許文献１）。この構造体によって、ベランダ等にもグリーンカーテンを育成することができる。
【特許文献１】実用新案登録第３１１５６９９号公報
【考案の開示】
【考案が解決しようとする課題】
【０００４】
しかし、従来の構造体は、横長の重石の上に横長のプランタを載せ、それらの左右両端にネットを張るための支柱を取付ける構造となっているため、安定性、特に前後方向の安定性の観点から改善の余地がある。また、部品点数も多く組立てが必ずしも容易ではないという問題がある。
【０００５】
本考案は、上述の問題点を解決するものであり、安定性に優れ、部品点数が少なくて組立ても容易なグリーンカーテン用組立体キット及び組立体を提供するものである。
【課題を解決するための手段】
【０００６】
かかる目的を達成するため、本考案の１つの態様によれば、グリーンカーテン用組立体キットであって、グリーンカーテン用組立体の組立て時、平面上に置かれる２つの植木用容器と、各植木用容器から上方に延びる縦支柱と、縦支柱間に張られるネットとを備え、少なくとも一方の植木用容器は、少なくとも一部が上記平面の上方に位置する底壁と、上記少なくとも一部に形成された支柱挿通孔とを含み、上記少なくとも一方の植木用容器と関連する縦支柱は、上記支柱挿通孔に挿通されて上記平面上に垂直に起立され、グリーンカーテン用組立体キットは、さらに、上記関連する縦支柱を上記平面上に起立された状態に支持する支柱支持装置を備え、各植木用容器は、各植木用容器に投入される栽培土と共にグリーンカーテン用組立体の重石を構成し、上記少なくとも一方の植木用容器に投入される栽培土は、上記関連する縦支柱の周りを埋めてこれを起立された状態にさらに支持する、グリーンカーテン用組立体キットが提供される。
【０００７】
本考案の別の態様によれば、グリーンカーテン用組立体であって、平面上に置かれる２つの植木用容器と、各植木用容器から上方に延びる縦支柱と、縦支柱間に張られるネットとを備え、少なくとも一方の植木用容器は、少なくとも一部が上記平面の上方に位置する底壁と、上記少なくとも一部に形成された支柱挿通孔とを含み、上記少なくとも一方の植木用容器と関連する縦支柱は、上記支柱挿通孔に挿通されて上記平面上に垂直に起立され、グリーンカーテン用組立体は、さらに、上記関連する縦支柱を上記平面上に起立された状態に支持する支柱支持装置を備え、各植木用容器は、各植木用容器に投入される栽培土と共にグリーンカーテン用組立体の重石を構成し、上記少なくとも一方の植木用容器に投入される栽培土は、上記関連する縦支柱の周りを埋めてこれを起立された状態にさらに支持する、グリーンカーテン用組立体が提供される。
【考案の効果】
【０００８】
本考案によれば、２つの別個の植木用容器を用いるので、１つのプランタを用いる場合と比べ、製造や運搬に特に不都合をきたすことなく、比較的大型で容積の大きい、しかも安定性に優れた円形等の植木用容器をグリーンカーテン用組立体の基礎となる重石として使用することができる。また、円形等の植木用容器のほかに、縦長に配置されたプランタのような植木用容器を使用することもできるので、前後方向を含むグリーンカーテン用組立体の安定性を確保することができる。部品点数も少なく、組立ても容易である。
【図面の簡単な説明】
【０００９】
【図１】本考案の実施の形態に係るグリーンカーテン用組立体の全体図である。
【図２】本考案の実施の形態に係る支柱支持装置を備えた植木鉢の一部切欠き図である。
【図３】本考案の実施の形態に係る縦支柱の一部を示す図である。
【図４】本考案の実施の形態に係る上部支持具を示す図である。
【図５】本考案の実施の形態に係る上部支持具の変形例を示す図である。
【図６】本考案の実施の形態に係る支柱支持装置を備えた植木鉢の縦断面図である。
【図７】本考案の実施の形態に係る支柱支持装置を備えた植木鉢の底壁の上面図である。
【図８】縦支柱の第１の縦支柱に下側横支柱を連結するために使用することができる固定具の一例を示す図である。
【図９】第１の縦支柱に第２の縦支柱を高さ調節可能に連結するために使用することができる固定具の一例を示す図である。
【図１０】第２の縦支柱に第３の縦支柱を上側横支柱を介して角度調節可能に連結するために使用することができる固定具の一例を示す図である。
【図１１】第３の縦支柱に傾斜部横支柱を連結するために使用することができる固定具の一例を示す図である。
【図１２】各横支柱の第１の横支柱に第２の横支柱を長さ調節可能に連結するために使用することができる固定具の一例を示す図である。
【図１３Ａ】ネット用枠体にネットを張架するために使用することができる留め具の一例を示す図である。
【図１３Ｂ】ネット用枠体にネットを張架するために使用することができる留め具の別の例を示す図である。
【図１３Ｃ】ネット用枠体にネットを張架するために使用することができる留め具のさらに別の例を示す図である。
【図１４Ａ】本考案の実施の形態に係る支柱支持装置に支持された縦支柱の周方向位置と、ネットが植木鉢の上端開口の上方を横切る位置との関係を示す図であり、縦支柱が最外方に位置するときの図である。
【図１４Ｂ】本考案の実施の形態に係る支柱支持装置に支持された縦支柱の周方向位置と、ネットが植木鉢の上端開口の上方を横切る位置との関係を示す図であり、縦支柱が約４５度後方に位置するときの図である。
【図１４Ｃ】本考案の実施の形態に係る支柱支持装置に支持された縦支柱の周方向位置と、ネットが植木鉢の上端開口の上方を横切る位置との関係を示す図であり、縦支柱が最後方に位置するときの図である。
【図１５】本考案の別の実施の形態に係る上部支持具を示す図である。
【図１６】本考案に係る支柱支持装置を備えた植木鉢と組合せて使用することもできる、別考案に係る支柱支持装置を備えた植木鉢の一例を示す図である。
【考案を実施するための最良の形態】
【００１０】
以下、図面を参照して、本考案に係る実施の形態を説明する。なお、本書において、左右又は左右方向とは、グリーンカーテン用組立体の正面に向かって左右の方向をいい、前後又は前後方向とは、グリーンカーテン用組立体の正面に向かって手前側及び後側の方向をいう。
【００１１】
図１において、グリーンカーテン用組立体１１は、地面、露台面、ベランダの床面等の平面上に左右に並べられる２つの植木鉢１２、１２と、植木鉢の上方に位置するネット用枠体１３と、ネット用枠体に張架されるネット２１とを備える。２つの植木鉢１２、１２の間には、１つ又は複数の別の植木鉢又はプランタを配置することができ、図示の例では２つのプランタ２３、２３が配置されている。各植木鉢１２とプランタ２３とには、栽培土２５が投入され、朝顔やゴーヤ等のつる性の植物が植栽される。つる性の植物がやがて成長し、ネット用枠体１３に張られたネット２１を伝って上方に延び、ネットの全面を覆うように繁茂すると、その枝葉や花や実によって、遮光や遮熱をもたらすグリーンカーテンが形成される。栽培土２５は、グリーンカーテン用組立体１１の組立て時、植木鉢１２、１２に投入され、植木鉢と共にグリーンカーテン用組立体の基礎となる重石を構成する。図中、２４、２４・・・は、プランタ２３、２３に生けられた植物のための支柱である。植木鉢１２、１２には、そのような支柱を設けていない。ネット用枠体１３を構成する縦支柱１７、１７が同様の役割を果たし得ることを考慮したためであるが、もちろん設けてもよい。なお、グリーンカーテン用組立体は、台風の到来時等には強い風にも曝されるので、そのような風にも倒伏しない安定性が求められる。
【００１２】
図２〜７を参照すると、各植木鉢１２は、断面円形の側壁２６と、側壁の下端に位置する底壁２８とを有する。側壁２６は、下方に行くにつれて小さくなる径を有している。底壁２８は、全体として断面台形であり、中央に一段高く位置する第１の底壁２８ａと、側壁２６の下端から横方向内方に延びる第２の底壁２８ｂと、第１の底壁２８ａの外周縁と第２の底壁２８ｂの内周縁とを結ぶ傾斜した第３の底壁２８ｃとを備えている。第１の底壁２８ａには、底壁２８の中心と側壁２６との間、図示の例では、底壁２８の中心と、左側の側壁２６とを結ぶ半径の約１／２のところに、後述する縦支柱１７の筒体３５を挿通するための円形の支柱挿通孔３３が形成されている（図７参照）。底壁２８は、さらに、本実施の形態において、第１の底壁２８ａから直接側壁２６まで延びる延長部２８ｄを備えている。この個所では、第３の底壁２８ｃは、延長部２８ｄの各側部２９から第２の底壁２８ｂまで周方向外方に傾斜している。延長部２８ｄを設けたのは、第１の底壁２８ａの下に後述する縦支柱１７のフランジ３７を、第３及び第２の底壁２８ｃ、２８ｂと干渉することなく収容するためであり、延長部２８ｄは、図７に示すように、縦支柱１７のフランジ３７よりも大きい幅を有している。図６から明らかなように、植木鉢１２がベランダの床面等の平面３０上に置かれると、第２の底壁２８ｂは平面３０と接し、第１の底壁２８ａは、第３の底壁２８ｃを介して上記平面よりも上方に位置し、平面との間に縦支柱１７のフランジ３７を収容するための空間３１を形成する。なお、底壁２８は少なくとも一部が平面３０よりも高い位置にあり、その下に縦支柱１７のフランジ３７を収容できる限り、適宜の形状を有することができ、必ずしも上述のような延長部２８ｄを設ける必要はない。図２中、４１、４１は取っ手、４２、４２・・・は水抜き孔、４４は排水孔である。
【００１３】
各縦支柱１７（第１の縦支柱１７ａ）は、本実施の形態において、上方に延びる断面円形の筒体３５と、筒体の下端に設けられた円錐台形のフランジ３７とを含む。筒体３５は、植木鉢１２の底壁２８の支柱挿通孔３３よりも小さい径を有し、フランジ３７は、支柱挿通孔３３よりも大きい径を有する。フランジ３７は、図６に示すように、フランジ本体３７ａと、その上面中央に形成された断面円形の凸部３７ｂとを備えている。凸部３７ｂには図示しない外ねじが形成され、筒体３５の下端には図示しない内ねじが形成されている。筒体３５とフランジ３７とは、上記内ねじと外ねじとの螺合によって脱着可能に結合されている。しかしながら、筒体３５とフランジ３７とを、ねじ以外の方法、例えば圧力ばめにより一体的に固着してもよく、又は一体的に形成してもよい。また、筒体３５の下端近傍又はフランジ３７に水抜き孔又は溝を形成してもよい。フランジ３７は、比較的重量のある材料、例えばステンレス鋼で形成するのが好ましい。フランジ３７は、本実施の形態では円錐台形であるが、支柱挿通孔３３よりも大きい径又は幅を有し、平面３０上に着座して筒体３５を支持することができれば、円錐台形以外の適宜の形状とすることもできる。
【００１４】
各縦支柱１７は、本実施の形態において、図６に示すように、筒体３５が支柱挿通孔３３に通され、フランジ３７が底壁２８の下の空間３１内で平面３０上に置かれて、垂直に起立される。縦支柱１７の前後左右の動きは、底壁２８の支柱挿通孔３３を規定する部分によって規制され、またその上下の動きは、底壁２８と平面３０とによって規制される。フランジ３７は、縦支柱１７が平面３０上に、いわば自立的に起立するのを可能にする。そして、このように立設され、植木鉢１２、１２の上方に延びる２つの縦支柱１７、１７の間にネット２１が張られる。
【００１５】
かかる構成により、グリーンカーテン用組立体１１の組立て後において、縦支柱１７、１７を含むネット用枠体１３及びネット２１の重量は、直接的には平面３０によって負担されることとなる。そのため、後に投入される栽培土と共に重石を構成する植木鉢１２、１２にかかる上方からの負荷を減少させることができ、グリーンカーテン用組立体１１の安定性に寄与することができる。また、各縦支柱１７の下端のフランジ３７は、植木鉢１２、１２の最下端と同一平面上に位置するので、このこともグリーンカーテン用組立体１１の安定性に資する。さらに、各縦支柱１７は、下端のフランジ３７によって、平面３０上に自立的に起立するので、このことによっても植木鉢１２、１２にかかる負担を減少させることができ、グリーンカーテン用組立体１１の安定性に資することができる。
【００１６】
各植木鉢１２内で起立する縦支柱１７を、図２からよく分るように、上部支持具４５を用いてさらに支持することが好ましい。この場合、縦支柱１７は、下端のフランジ３７と、植木鉢１２内の所定の高さにて縦支柱１７を支持する上部支持具４５とによって、支持される。
【００１７】
図４からよく分るように、上部支持具４５は、金属製の丸棒で作られた円形の大径のリング部４６と、大径のリング部４６の内側で大径のリング部と同一平面内に位置する、同じく円形の小径のリング部４７とを含む。大径のリング部４６と小径のリング部４７とは、大径のリング部４６の一側部（図面左側の側部）寄りに位置する連結部４９ａ、４９ｂを介して溶接等により連結されている。一方の連結部４９ａは、大径のリング部４６と小径のリング部４７との間を左右方向に延び、他方の連結部４９ｂは、前後方向に延びている。
【００１８】
上部支持具４５は、大径のリング部４６が植木鉢１２の側壁２６の内側面に係止されることによって、植木鉢内の所定の高さ位置に装着される。図２、６を参照すると、大径のリング部４６は、植木鉢１２の側壁２６の内側面上を周方向に延びている。大径のリング部４６は、下方に向かって径が小さくなる植木鉢１２の所定の高さの内径と一致する外径を有する。そのため、植木鉢１２内に上部支持具４５を装着するためには、単に植木鉢内に上部支持具４５を落し込み、植木鉢の側壁２６の上記所定の高さの内側面にこれを係合させればよい。その際、上記所定の高さの内側面に、例えば複数の突起を周方向に等間隔で形成しておき、下方に向けて上部支持具４５を、それらの突起を乗越えるように押込み、側壁２６の内側面に係止させるようにしてもよい。大径のリング部４６の装着時、小径のリング部４７は、植木鉢１２の底壁２８に形成された支柱挿通孔３３の上方に位置決めされ、支柱挿通孔３３と整列し縦支柱１７が挿通される上部支柱挿通孔４８を形成する。かかる構成によれば、フランジ３７により起立状態に支持された縦支柱１７は、底壁２８の支柱挿通孔３３と、小径のリング部４７が形成する上部支柱挿通孔４８とに挿通されて、さらにしっかりと起立状態に支持される。
【００１９】
なお、図４に戻って、大径のリング部４６は完全な円を描くように連続しているが、この円の、例えば図面右側の一部が欠けていてもよい。別言すれば、植木鉢１２の側壁２６の内側面に適切に係止される限り、この側壁の内周面の少なくとも一部に沿って延びればよく、必ずしも上記内周面の全体にわたって延びる必要はない。また、図４において、一方の連結部、例えば連結部４９ｂを省略し、１つの連結部４９ａのみで大径のリング部４６と小径のリング部４７とを連結するようにしてもよい。また、大径及び小径のリング部４６、４７を含む上部支持具４５を、硬質合成樹脂等から一体的に形成してもよい。また、図５に変形例の上部支持具４５’で示すように、１つの丸棒を折り曲げて形成することもできる。上部支持具４５’においては、大径のリング部４６’と小径のリング部４７’と連結部４９ａ’、４９ｂ’とは、１つの丸棒を折り曲げて形成されている。図５中、４８’は、上部支柱挿通孔であり、５０は溶接等による接合部である。上部支持具４５は、このように、さまざま方法でさまざまな形状を有するように形成することができる。
【００２０】
上部支持具４５を使用した場合、後に投入される栽培土は、上部支持具を覆うように植木鉢１２に充填されることが好ましい。栽培土は、各植木鉢１２に投入されてグリーンカーテン用組立体１１の重石を構成するが、それとともに、底壁２８の支柱挿通孔３３を通じて上方に延びる縦支柱１７の周りを埋めてこれを固定する役割を果たす。また、上部支持具４５を使用した場合において、これを埋めるように充填した場合には、上部支持具と、これが支持する縦支柱１７とをさらにしっかりと固定する。このことは、台風時等の強い風にも倒伏しない安定したグリーンカーテン用組立体に寄与する。さらに、上部支持具４５を埋めてこれを固定することができることから、例えば、植木鉢が全高さにわたって同一の径を有するような場合に、上部支持具４５を植木鉢内の所定の高さに固定するのに利用することもできる。具体的には、まず、植木鉢の所定の高さまで栽培土を投入し、その上に上部支持具４５を載せ、その後に残りの栽培土を投入することによって、上部支持具を固定することができる。なお、上部支持具４５の大径のリング部４６は、植木鉢１２に装着されると、植木鉢の内側面上を周方向に延びるので、植物を生ける際に、植木鉢の内側に十分な植栽スペースを確保することができる。また、連結部４９ａ、４９ｂは大径のリング部４６の一側部に偏って位置するので、植栽の妨げとはならない。
【００２１】
上述の実施の形態では、基本的にはフランジ３７によって、またはフランジ３７と上部支持具４５とによって、縦支柱１７を平面３０上に起立させ支持した。しかしながら、別の実施の形態において、フランジ３７を用いなくても、平面３０上に立てられ、底壁２８の支柱挿通孔３３と、上部支持具４５の上部支柱挿通孔４８とに挿通された縦支柱１７を、起立状態に支持することができる。すなわち、これらの支柱挿通孔３３、４８に挿通された縦支柱１７は、平面３０よりも一段高く位置する底壁２８の支柱挿通孔３３を規定する部分と、上部支持具４５の小径のリング部４７とによって、上下２点で拘束されるので、フランジ３７を用いた場合と同様、しっかりと起立状態に支持されることができる。また、後に投入される栽培土が、縦支柱１７の周りを埋めてこれを固定支持することは上述のとおりである。この場合においても、グリーンカーテン用組立体１１の組立て後において、縦支柱１７、１７を含むネット用枠体１３及びネット２１の重量は、直接的には平面３０によって負担されることとなる。また、各縦支柱１７の下端は、植木鉢１２、１２の最下端と同一平面上に位置し、グリーンカーテン用組立体１１の安定性に寄与することができる。なお、この場合、各縦支柱１７の下端の近くに横方向に突出する突起を設け、縦支柱の支柱挿通孔３３からの抜けを防止するようにしてもよい。
【００２２】
ネット用枠体１３は、図１から明らかなように、各植木鉢１２から上方に延びる縦支柱１７と、縦支柱１７、１７間に架設される下側横支柱１８及び上側横支柱１９とで構成される本体部１５を含む。
【００２３】
各縦支柱１７は、上述の、筒体３５と筒体の下端に取付けられたフランジ３７とを有する第１の縦支柱１７ａと、第１の縦支柱にスライド可能に挿入される第２の縦支柱１７ｂとを含む。第２の縦支柱１７ｂは、第１の縦支柱１７ａに突出高さ調節可能に固定される。そのための固定具を含む、ネット用枠体１３を組立てるために必要な固定具については、後述する。下側横支柱１８は、植木鉢１２、１２の直ぐ上で第１の縦支柱１７ａ、１７ａに連結される。上側横支柱１９は、第２の縦支柱１７ｂ、１７ｂの上端に連結される。下側横支柱１８も上側横支柱１９も、筒状の第１の横支柱１８ａ、１９ａ（図面右側）と、それぞれの第１の横支柱にスライド可能に挿入され固定される第２の横支柱１８ｂ、１９ｂ（図面左側）とを備える。第２の横支柱１８ｂ、１９ｂは、それぞれ第１の横支柱１８ａ、１９ａに突出長さ調節可能に固定される。したがって、各縦支柱１７及び横支柱１８、１９は全体として高さ又は長さ調節可能である。
【００２４】
ネット用枠体１３は、さらに、傾斜部１６を含む。傾斜部１６は、各第２の縦支柱１７ｂの上端から前方に傾斜する第３の縦支柱１７ｃと、第３の縦支柱１７ｃ、１７ｃの先端に架設される傾斜部横支柱２０とで構成される。第３の縦支柱１７ｃ、１７ｃの傾斜角度は、後述のように調節可能である。傾斜部１６を設けたのは、夏の日差しは高い位置から照りつけるので、ここにもネット２１を張り、つる性の植物を繁茂させて、そのような日差しを遮るためである。
【００２５】
なお、ネット用枠体１３を構成する各支柱は、アルミニウム製であることが好ましいが、硬質合成樹脂製や、アルミニウム以外の金属製や、その他の材料製であってもよい。また、ネット用枠体１３を構成する各支柱の高さや長さや径は、グリーンカーテン用組立体１１をその前に設置しようとする窓面の大きさや、重石を構成する植木鉢１２、１２の大きさ等に応じて適宜決定することができる。
【００２６】
次に、図８〜１２を参照して、ネット用枠体１３を組立てるために必要な固定具又は固定手段について説明する。なお、これらの固定具は、使用することができる固定具の一例であり、これらに代えて適宜好適な固定具を用いることもできる。また、図１で見て、左側の第１、第２及び第３の縦支柱１７ａ、１７ｂ、１７ｃに、下側、上側及び傾斜部横支柱１８、１９、２０を連結する固定具と、右側の第１、第２及び第３の縦支柱１７ａ、１７ｂ、１７ｃに、下側、上側及び傾斜部横支柱１８、１９、２０を連結する固定具とは、実質的に同一なので、以下では左側での場合を例にとって説明する。
【００２７】
図８は、第１の縦支柱１７ａに下側横支柱１８（第２の下側横支柱１８ｂ）を連結するための固定具を示す。この固定具は、第１の縦支柱１７ａの周りに固定される第１の環体５１と、下側横支柱１８の端部に嵌着される第２の環体５７とを備える。第１の環体５１は、前端にコの字形の横係合部５２を有し、後端からは２つの脚部５３、５３が後方に延びている。各脚部５３にはボルト孔５４が形成されている。これらの脚部５３、５３の間は開放されている。第２の環体５７は、後端にコの字形の縦係合部５８を有する。第２の環体５７は閉鎖している。一方、下側横支柱１８の端部には、先端に外ねじ６０が形成され、外ねじから少し離れた個所には上下一対のストッパー突起６１、６１が形成されている。第２の環体５７は、外ねじ６０とストッパー突起６１、６１との間に嵌着される。６２は断面円形の抜け止めキャップであり、下側横支柱１８の外ねじ６０に対応する内ねじ（図示せず）を有し、また第２の環体５７の側面５９と当接する側面６３を有している。
【００２８】
第１の縦支柱１７ａに下側横支柱１８を連結するには、まず第１の環体５１内に脚部５３、５３の間から第２の環体５７を入れ、横係合部５２と縦係合部５８とを組合せる。その状態で、第１の縦支柱１７ａに第１の環体５１を外挿し、ボルト孔５４、５４にボルト５５を挿通し、蝶ナット５６で締付け、固定する。その際、ボルト５５を挿入する側のボルト孔５４の周りにボルトのヘッドに対応する形状の凹み（図示せず）を設けておくと、蝶ナット５６による締付け時にボルトが回転しないので便宜である。そして、第２の環体５７に下側横支柱１８の端部を、ストッパー突起６１、６１が第２の環体５７の側面に当接するまで挿入する。その後、第２の環体５７の反対側に突出した下側横支柱１８の端部に抜け止めキャップ６２を締付ける。これにより、第１の縦支柱１７ａに下側横支柱１８をしっかりと固定することができる。なお、図中、６４は第１の環体５１の内側面に形成された向き決め突起であり、第１の縦支柱１７ａに形成された図示しないくぼみと係合して、第２及び第３の縦支柱１７ｂ、１７ｃを含む縦支柱１７の向きを定める働きをする。
【００２９】
図９は、第１の縦支柱１７ａに第２の縦支柱１７ｂを固定するための固定具を示す。第１の縦支柱１７ａには上端近くに１つの横貫通孔６５が形成されている。第２の縦支柱１７ｂには、複数（図示の例では３つ）の横貫通孔６６、６６・・・が上下方向に一定の間隔で形成されている。第１の縦支柱１７ａの横貫通孔６５に、第２の縦支柱１７ｂのいずれかの横貫通孔６６を位置合わせし、それらの位置合わせされた横貫通孔６５、６６に側方からボルト６７を挿通する。そして、反対側に突出したボルトの軸部に蝶ナット６８をねじ付け、締付けることにより、第１の縦支柱１７ａに第２の縦支柱１７ｂを固定することができる。したがって、第１の縦支柱１７ａの横貫通孔６５と位置合わせされる第２の縦支柱１７ｂの横貫通孔６６を適宜選択し、ボルト締めすることにより、第２の縦支柱の第１の縦支柱からの突出長さ又は高さを調節することができる。この場合、図８に関連して説明したのと同様に、ボルト６７を挿入する側の、第１の縦支柱１７ａの横貫通孔６５の周りに、ボルトのヘッドに対応する凹み（図示せず）を形成しておくと、蝶ナット６８による締付け時にボルト６７が回転しないので、便宜である。図中、６９は、第２の縦支柱１７ｂの表面に上下方向に形成された、横貫通孔６６、６６・・・の間を結ぶ探り溝であり、この探り溝に第１の縦支柱１７ａの横貫通孔６５に挿入されたボルト６７の先端をあてがい、その状態で第２の縦支柱１７ｂをスライドさせると、目的とする横貫通孔６６を容易に探り当てることができるので、有利である。なお、雨水が侵入するのを防ぐ目的で、両縦支柱１７ａ、１７ｂの締付け固定後、第１の縦支柱１７ａの上端で第２の縦支柱１７ｂとの間に防水パテを塗布してもよく、それに加えて、ボルト６７と蝶ナット６８とをゴムシールを介して締付けるようにしてもよい。
【００３０】
図１０は、第２の縦支柱１７ｂに上側横支柱１９（第２の上側横支柱１９ｂ）を連結するとともに、第３の縦支柱１７ｃを角度調節可能に固定するための固定具を示す。第２の縦支柱１７ｂの上端には、圧力ばめ等により先端具７０が固着されている。先端具７０は、横幅又は厚み幅の小さい環部７１を含み、環部７１は、上側横支柱１９の端部を挿通するための挿通孔７２を有する。環部７１の挿通孔７２を規定する内周面には、複数（図示の例では３つ）の凹部、具体的には上方、斜め上方及び前方に延びる凹部７３、７３・・・が形成されている。上側横支柱１９の端部には、先端に外ねじ７４が形成され、外ねじ７４から少し離れた個所にはストッパーリング７５が圧力ばめ等により固着されている。ストッパーリング７５は、外ねじ７４まで延びる突条７６を有している。一方、第３の縦支柱１７ｃは基端に圧力ばめ等により固着された基端具７７を有する。基端具７７は、二股状に形成された２つの、厚み幅の小さい環部７８、７８を有し、各環部には上側横支柱１９の端部を通すための挿通孔７９（一方の挿通孔のみ図示）が形成されている。各環部７８の挿通孔７９を規定する内周面には、基端具７７の軸線方向に沿う１つの凹部８０が形成されている。８１は断面円形の抜け止めキャップであり、上側横支柱１９の外ねじ７４に対応する内ねじ（図示せず）を有し、また基端具７７の側面と当接する側面８２を有する。
【００３１】
各支柱１７ｂ、１９、１７ｃを互いに組付けるには、まず先端具７０の環部７１の左右両側に基端具７７の環部７８、７８を跨置し、挿通孔７２と挿通孔７９、７９とを整列させ、環部７１の選択されたいずれかの凹部７３と環部７８、７８の凹部８０、８０とを位置合わせする。次いで、これらの挿通孔７９、７２、７９に上側横支柱１９の端部を、凹部８０、７３、８０に突条７６を順に係合させながら、ストッパー突起７５、７５が基端具７７の側面に当接するまで挿入する。最後に、反対側に突出した上側横支柱１９の端部に抜け止めキャップ８１を螺合させ、締付ける。これにより、第２の縦支柱１７ｂに上側横支柱１９を連結するとともに、第３の縦支柱１７ｃを所望の角度で固定することができる。
【００３２】
図１１は、第３の縦支柱１７ｃに傾斜部横支柱２０（第２の傾斜部横支柱２０ｂ）を連結するための固定具を示す。第３の縦支柱１７ｃは先端に圧力ばめ等により固着された先端具８３を有する。先端具８３は、厚み幅の小さい環部８４を含み、環部８４は、傾斜部横支柱２０の端部を挿通するための挿通孔８５を有する。傾斜部横支柱２０の端部には、先端に外ねじ８６が形成され、また外ねじ８６から少し離れた個所には上下一対のストッパー突起８７、８７が形成されている。８８は断面円形の抜け止めキャップであり、傾斜部横支柱２０の外ねじ８６に対応する内ねじ（図示せず）を有し、また先端具８３の側面と当接する側面を有する。第３の縦支柱１７ｃに傾斜部横支柱２０を連結するには、先端具８３の挿通孔８５に傾斜部横支柱２０の端部を、ストッパー突起８７、８７が環部８４に当接するまで挿入する。次いで、反対側に突出した傾斜部横支柱２０の端部に抜け止めキャップ８８を螺合させ、締付ける。これにより、第３の縦支柱１７ｃの上端に傾斜部横支柱２０を容易に固定することができる。
【００３３】
図１２は、各横支柱、具体的には下側、上側及び傾斜部横支柱１８、１９、２０（図１）の、図面右側の第１の横支柱１８ａ、１９ａ、２０ａに左側の第２の横支柱１８ｂ、１９ｂ、２０ｂを固定するための固定具を示す。これらの横支柱１８、１９、２０は、いずれも構成が実質的に同一なので、以下、下側横支柱１８を例にとって説明する。この固定具は、第１の下側横支柱１８ａの第２の下側横支柱１８ｂ側の端部に形成されたボルト孔８９と、蝶ボルト９０とを含む。ボルト孔８９は、雨水の侵入を防ぐため、図示のように、第１の下側横支柱１８ａの下面側に位置させるのが好ましい。第２の下側横支柱１８ｂは、十分なスライド代を残して、第１の下側横支柱１８ａに挿入される。第２の下側横支柱１８ｂの第１の下側横支柱１８ａからの突出長さを決定した後に、ボルト孔８９に蝶ボルト９０をねじ込んで締付けることにより、第２の下側横支柱１８ｂを容易に第１の下側横支柱１８ａに固定することができる。または、上述の固定具に代えて、第２の下側横支柱１８ｂに図示しない筒体を外挿しておき、これを第１の下側横支柱１８ａの端部にて第２の下側横支柱１８ｂとの間に挟入し、固定することもできる。あるいはまた、第１及び第２の下側横支柱１８ａ、１８ｂの間を特に固定しなくても不都合はなく、固定しないことも考えられる。
【００３４】
上述のように構成されるネット用枠体１３にネット２１が張架される。次に、図１３Ａ〜１３Ｃを参照して、ネット用枠体１３にネット２１を掛止するための、本考案による留め具について説明する。これらの留め具は、いずれを使用してもよく、また併用することもできる。また、これらに代えて別の適宜の手段を用いてネット２１を掛止することもできる。
【００３５】
図１３Ａの留め具９１ａは、実質的に８の字形であり、１本のワイヤで構成される。ワイヤは、８の字の中央部分で上下に交差し、一方の側（図面左側）に、縦支柱１７又は横支柱１８、１９、２０に外挿される大径の輪っか部９４を形成し、他方の側（図面右側）に、ネット２１の網目を拘束する小径の輪っか部９５を形成している。ワイヤの両端部９２、９２は、小径の輪っか部９５の大径の輪っか部９４とは反対側で上下に交差し、内方に屈曲している。両端部９２、９２は、互いに弾性的に接離して、それらの間からネット２１の網目が掛脱されるのを可能にする。かかる構成の留め具９１ａによれば、縦支柱１７又は横支柱１８、１９、２０に大径の輪っか部９４を挿着した後は、小径の輪っか部９５にネット２１の網目を掛止することにより、簡単にネットを張ることができる。また、一度小径の輪っか部９５に掛止された網目は、自然の力によっては小径の輪っか部９５から離脱しがたく、安定してネット２１を保持することができる。また、ネット２１を取外すときも、留め具９１ａ自体を取外す必要はなく、小径の輪っか部９５の両端部９２、９２の間からネットの網目を抜取ればよい。このように、留め具９１ａによれば、簡単確実にネット２１を張ることができ、取外すこともできる。なお、図示の例において、ワイヤの中央部分での交差と、両端部９２、９２の交差とは、互いに上下が逆になっている。ネット２１の抜け止めをより確実にするためである。
【００３６】
図１３Ｂの留め具９１ｂは、小径の輪っか部９５の内方に屈曲する両端部９３、９３が上下に交差せず、互いに隣接して同一平面内に位置する点で、図１３Ａの留め具９１ａと異なる。留め具９１ｂの場合も、上記両端部９３、９３が、互いに弾性的に接離して、それらの間からネット２１の網目が掛脱されるのを可能にする。一度掛止されたネット２１の網目が自然の力によっては小径の輪っか部９５から離脱しがたいのは、留め具９１ａの場合と同様である。この留め具９１ｂによっても、簡単確実にネット２１を張ることができ、取外すことができる。
【００３７】
図１３Ｃの留め具９１ｃは、大径の輪っか部９６と小径の輪っか部９７とが、それぞれ別個の第１のワイヤ９８と第２のワイヤ９９とで構成される点で、図１３Ａ、１３Ｂの留め具９１ａ、９１ｂと異なる。留め具９１ｃは、第１のワイヤ９８が小径の輪っか部９７に通され、その状態で縦支柱１７又は横支柱１８、１９、２０の周りに巻かれ、ねじられて、縦支柱又は横支柱に取付けられる。留め具９１ｃの小径の輪っか部９７は、図１３Ａの小径の輪っか部９５と同様な形状と機能とを有する。留め具９１ｃは、図１３Ａ、１３Ｂの留め具９１ａ、９１ｂでは、大径の輪っか部９４を縦支柱１７又は横支柱１８、１９、２０の所定の個所に挿着しにくいような場合に、特に有用である。
【００３８】
図１３Ａ〜１３Ｃの留め具９１ａ〜９１ｃは、縦支柱１７又は横支柱１８、１９、２０に外挿され又は巻きつけられる大径の輪っか部９４、９６以外に、特に縦又は横支柱に対する係止手段を有していない。しかしながら、留め具９１ａ〜９１ｃは、ネット２１の網目を拘束することにより、ネットによって所定の位置に止められる。例えば、縦支柱１７と横支柱１８（又は１９、２０）とにより構成される角部において、縦支柱に１つの留め具９１を取付け、横支柱に別の留め具９１を取付け、これらの２つの留め具に同じ１つの網目を、９０度異なる方向から拘束させることにより、これらの留め具は、所定の位置に止まって、ネットを保持することができる。また、これにより、使用される他の留め具９１も、縦支柱１７又は横支柱１８（又は１９、２０）の中間で、所定の位置に止まって、ネットを保持することができる。
【００３９】
次に、グリーンカーテン用組立体１１の組立て手順について説明する。しかしながら、グリーンカーテン用組立体１１は、部品点数が少なく、構造も簡潔なことから、以下に例示する手順に限らず、さまざまな手順によって組立てることができる。
【００４０】
まず、事前に、第１の下側横支柱１８ａ、第１の上側横支柱１９ａ、及び第１の傾斜部横支柱２０ａに、それぞれ第２の下側横支柱１８ｂ、第２の上側横支柱１９ｂ、及び第２の傾斜部横支柱２０ｂを挿入して、伸縮可能な下側横支柱１８、上側横支柱１９、及び傾斜部横支柱２０を準備しておくとよい。また、これらの各支柱（但し、上側横支柱１９を除く。）に必要な数の留め具９１を外挿しておくとよい。外挿しておくのは、特に図１３Ａ又は１３Ｂの留め具９１ａ、９１ｂである。図１３Ｃの留め具９１ｃは、必要に応じていつでも各支柱に取付けることができる。上側横支柱１９に留め具９１を挿着しておかないのは、後述するように、特に留め具を用いる必要のない支柱だからである。なお、必要な留め具の数は、適宜選択することができる。また、栽培土を用意しておく。
【００４１】
次いで、窓面の前の、ベランダの床面等の平面上に２つの植木鉢１２、１２を隔置し、各植木鉢に第１の縦支柱１７ａを連結する。そのためには、各植木鉢１２を横にし、支柱挿通孔３３（図２、６）に底壁２８の下側から又は上側から、第１の縦支柱１７ａの筒体３５を挿通する。上側から挿通するときは、挿通後に筒体３５の下端にフランジ３７を螺着する。次いで、各植木鉢１２を起こし、上記平面上に第１の縦支柱１７ａをフランジ３７を介して垂直に起立させる。次に、第１の縦支柱１７ａに上方から、第２の縦支柱１７ｂを挿入し、第２の縦支柱１７ｂの先端具７０が第１の縦支柱１７ａの上端と当接するまで下降させる。すると、先端具７０は、目の高さ又は十分手の届く高さに位置することとなり、その後の組付け作業を容易に進めることができる。なお、第１の縦支柱１７ａには、第２の縦支柱１７ｂの分を含めて必要な数の留め具９１を挿着しておくと便宜である。
【００４２】
次に、図１０に関連して説明したように、各先端具７０に、上側横支柱１９と第３の縦支柱１７ｃとを連結する。上述のように、第３の縦支柱１７ｃ、１７ｃの傾斜角度はこのときに定められる。次いで、図１１に関連して説明したように、各第３の縦支柱１７ｃの先端具８３に、傾斜部横支柱２０を連結する。このとき、必要であれば脚立を用いる。この段階では、上側横支柱１９と傾斜部横支柱２０とは、作業中に加えられる力によって容易に長さ調節可能である。次いで、縦支柱１７、１７間の幅を確認し、適切であれば、そのまま蝶ボルト９０（図１２）を用いて、第２の上側横支柱１９ｂを第１の上側横支柱１９ａに、また第２の傾斜部横支柱２０ｂを第１の傾斜部横支柱２０ａに固定する。上記幅が適切でなければ、一方又は双方の植木鉢１２、１２を動かして、上側横支柱１９及び傾斜部横支柱２０の長さを調節し、その後に蝶ボルト９０で固定することもできる。これにより、上側横支柱１９と傾斜部横支柱２０の長さが定められる。次いで、傾斜部横支柱２０に予め外挿しておいた留め具９１にネット２１の上端を掛止し、ネット２１が上側横支柱１９の後側で垂下るようにする。ネット２１が傾斜部横支柱２０から上側横支柱１９の後側に垂下ることから、上側横支柱１９に留め具９１を用いてネットを掛止する必要は特にないが、留め具を用いて掛止してもよい。なお、留め具９１ａ、９１ｂを使用することが困難な個所があれば、図１３Ｃの留め具９１ｃを用いればよい。
【００４３】
また、ネット用枠体１３の最上部に位置する傾斜部横支柱２０にネット２１を掛止するには、特に留め具９１を用いず、ネット上端の横列の網目に傾斜部横支柱２０を順次通して行くようにしてもよい。その場合は、そのようにしてネット２１を掛止した傾斜部横支柱２０を事前に用意しておくとよい。
【００４４】
次に、各第２の縦支柱１７ｂにネット２１を掛止する。そのためには、第２の縦支柱１７ｂに外挿しておいた留め具９１（第１の縦支柱１７ａに第２の縦支柱１７ｂの分も外挿しておいた場合は、第２の縦支柱に引上げられたそれらの留め具９１）に、高い位置にある留め具の順に、ネット２１の側部の網目を順次掛止して行く。そして、掛止して行きながら、第２の縦支柱１７ｂを徐々に上方に押上げて行く。その際、第１の縦支柱１７ａの横貫通孔６５（図９）にボルト６７を挿通し、順次第２の縦支柱１７ｂの横貫通孔６６、６６・・・に仮止めしながら、ネット２１を掛止して行くと便宜である。そして、そのようにして所望の高さまで各第２の縦支柱１７ｂを押上げたら、図９のボルト６７と蝶ナット６８とにより、第１の縦支柱１７ａに第２の縦支柱１７ｂを固定する。次いで、各第１の縦支柱１７ａに予め外挿しておいた留め具９１にも、ネット２１の側部の網目を順次掛止して行く。次に、図８に関連して説明したように、第１の縦支柱１７ａ、１７ａに下側横支柱１８を連結するとともに、図１２に関連して説明したように、第１の下側横支柱１８ａに第２の下側横支柱１８ｂを蝶ボルト９０で固定する。そして、下側横支柱１８にも留め具９１を介してネット２１の下端を止着する。ネット２１の左右幅又は上下幅に余る部分があれば、丸めて、隣接する縦支柱１７又は下側横支柱１８に括りつけておくこともできる。なお、上述のように下側横支柱１８を最後に第１の縦支柱１７ａ、１７ａに連結するのは、作業する足もとの妨げとならないようにするためである。
【００４５】
最後に、２つの植木鉢１２、１２に栽培土を投入する。これにより、グリーンカーテン用組立体１１の基礎部分に重石が形成される。その後、栽培土につる性の植物を生ける。また、植木鉢１２、１２の間には、１つ又は複数の別の植木鉢又はプランタを配置することができるので、これらの植木鉢又はプランタにも栽培土を投入し、つる性の植物を生けるとよい。
【００４６】
図１４Ａ〜１４Ｃは、左側の植木鉢１２を例にとって、植木鉢における縦支柱１７の周方向位置と、ネット２１が植木鉢の上端開口の上方を横切る位置との関係を示す。縦支柱１７の周方向位置は、植木鉢１２の中心に縦支柱が挿通される支柱挿通孔３３（図２、６）を形成した場合を除き、植木鉢を垂直軸の周りで回転させることにより変化する。本実施の形態においては、支柱挿通孔３３が、上述のように底壁２８の中心と側壁２６とを結ぶ半径の約１／２のところに形成されていることから、植木鉢１２を回転させることにより、縦支柱１７の周方向位置は変化し、それとともに、ネット２１が植木鉢の上方を横切る位置も変化する。縦支柱１７の周方向位置及びネット２１が植木鉢の上方を横切る位置は、グリーンカーテン用組立体１１の安定性等の観点から考慮を要する。
【００４７】
図１４Ａでは、縦支柱１７は、植木鉢１２の上端開口を前後に二等分する横径ｄｔ上に位置するように、植木鉢が置かれている。したがって、ネット２１も、横径ｄｔに沿って、植木鉢１２の前後方向中央にて植木鉢の上方を横切っている。図１４Ｂでは、植木鉢１２は、図１４Ａの場合と比べ、約４５度時計方向に回転され、縦支柱１７もその分後方に位置している。そのため、ネット２１も、約４５度後方にずれた位置で植木鉢の上方を横切っている。図１４Ｃでは、植木鉢１２は図１４Ａの場合と比べ約９０度回転され、縦支柱１７は、植木鉢の上端開口を左右にニ等分する縦径ｄｌ（図１４Ａ）上に位置するようにされている。そのため、ネット２１も植木鉢１２の後端寄りの位置で植木鉢の上方を横切っている。図１４Ａのように植木鉢１２を配置して縦支柱１７、１７間にネット２１を張架した場合は、倒伏防止の観点からは最大の安定性が得られよう。図１４Ｂの場合は、植木鉢１２内の、ネット２１の下方前方に、図１４Ａの場合よりも広い植物の植栽スペースを確保することができる。図１４Ｃの場合は、植木鉢１２内の、ネット２１の下方前方に、最大の広さの植栽スペースを確保することができる。したがって、グリーンカーテン用組立体１１が設置される環境や、植木鉢１２、１２の大きさや、ネット２１（及びネット用枠体１３）の重量等を考慮し、最適な縦支柱１７の周方向位置を決定して、グリーンカーテン用組立体１１を組立てるとよい。
【００４８】
図１５は、植木鉢１２内の所定の高さにて縦支柱１７を支持する別の実施の形態に係る上部支持具１０１を示す。上部支持具１０１は、一本の金属の丸棒を曲折して作られており、リング部１０３と、上述の実施の形態の大径のリング部４６に代わる縦長のフック部１０４と、リング部とフック部の下端とを繋ぐ連結部１０５、１０５とを備える。フック部１０４は、側面視でコの字形であり、二条になって平行に延びる丸棒が二つ折りに曲げられて形成される。フック部１０４は、植木鉢１２の側壁２６に上方から嵌め込まれて固定される。側壁２６に嵌め込まれて固定されると、丸棒のフック部１０４を構成する部分は、側壁の内側面及び外側面に沿って下方に延びる。植木鉢１２は、本実施の形態においても、下方に向かうにつれて小さくなる径を有するので、丸棒のフック部１０４を構成する部分も下方に行くにつれて、植木鉢の中心により近づく方向に傾斜する。連結部１０５、１０５は左右方向に水平に延びる。そのため、丸棒のフック部１０４を構成する部分と連結部１０５、１０５との間の角度は、９０度よりも大きい。上部支持具１０１の植木鉢１２への装着時、リング部１０３が形成する上部支柱挿通孔１０６は、底壁２８の支柱挿通孔３３（図２、６）の上方でこれと整列するように位置決めされる。本実施の形態においても、縦支柱１７は、底壁２８の支柱挿通孔３３とリング部１０３の上部支柱挿通孔１０６とに通され、平面３０（図６）上に垂直に起立される。後に投入される栽培土は、リング部１０３を埋めるように充填されることが好ましい。一本の丸棒の両端部は、フック部１０４の、植木鉢１２の外側に位置する部分の下端の接合部１０７にて溶接等により接合されている。上部支持具１０１は、上述の実施の形態の上部支持具４５と同様、金属に限らず、硬質合成樹脂又はその他の材料から形成することもできる。
【００４９】
上述の各実施の形態では、植木鉢１２を断面円形としたが、正方形や多角形やその他の形状であってもよい。また、植木鉢１２は、下方に向かって径が小さくなるものに限らず、上方に向かって径が小さくなっても、全高さにわたって同一の径を有しても、又はたる型等の植木鉢であってもよい。あるいは、長方形や楕円形等のプランタであってもよい。これらのプランタでも、例えば縦向きに配置することにより、本考案によるグリーンカーテン用組立体に適した植木用容器とすることができる。植木鉢１２は、合成樹脂製であっても、素焼きや陶器製であっても、木製であっても、又は金属製等であってもよい。なお、本書において植木用容器とは、植木鉢とプランタとを含む意味で使用されている。
【００５０】
上述の各実施の形態では、底壁２８（第１の底壁２８ａ）に形成される支柱挿通孔３３の位置を、底壁２８の中心と側壁２６とを結ぶ半径の約１／２のところとしたが、支柱挿通孔３３の位置は、これに限定されず、底壁の中心と側壁との間のいずれの位置であってもよい。底壁２８の中心であってもよく、または側壁２６に隣接させてもよい。特に、縦支柱１７の下端にフランジ３７を設けない実施の形態では、側壁２６に隣接させやすいであろう。なお、支柱挿通孔３３を形成する位置によって、上部支持具４５、１０１の連結部４９ａ、４９ｂ、１０５の長さを変えることが必要となる。場合によっては、連結部４９ａ、４９ｂ、１０５を省略し、大径のリング部４６と小径のリング部４７とを、又はリング部１０３とフック部１０４とを直接連結してもよい。
【００５１】
上述の各実施の形態では、ネット用枠体１３に傾斜部１６を含ませているが、これを省略することもできる。その場合は、上側横支柱１９に留め具９１（図１３Ａ〜１３Ｃ）を介してネット２１を掛止するか、又はネットの上端の網目に上側横支柱１９を順次通してネットを掛止する。また、傾斜部１６のみならず、上側横支柱１９と下側横支柱１８とを省略することもできる。その場合は、２つの縦支柱１７（１７ａ、１７ｂ）、１７（１７ａ、１７ｂ）間に直接ネット２１を張ることとなる。あるいは、傾斜部横支柱２０（傾斜部１６を省略しない場合）、上側横支柱１９、及び下側横支柱１８に代えて、縦支柱１７、１７の間に紐状物を架渡し、これを介してネット２１を張るようにすることもできる。しかしながら、横支柱１８、１９、２０の中で最も植木鉢１２、１２に近接して配置される下側横支柱１８は、第１の縦支柱１７ａ、１７ａに連結された後は、ネット２１が張られる縦支柱１７、１７間の距離を規定するとともに、栽培土投入後にグリーンカーテン用組立体１１の重石を構成する２つの植木鉢を一体化し、これによってグリーンカーテン用組立体１１の安定性を増進する役割を果たすことから、省略しないことが好ましい。
【００５２】
上述の各実施の形態では、１つのグリーンカーテン用組立体１１において、いずれも本考案による２つの植木鉢１２、１２及び支柱支持装置３７、４５、１０１を用いて縦支柱１７、１７を支持した。しかしながら、本考案に係る植木用容器及び支柱支持装置と、そうではない植木用容器及び支柱支持装置とを用いて、１つのグリーンカーテン用組立体の２つの縦支柱を支持するようにすることもできる。例えば、図１６に示すような本考案によらない支柱支持装置を備えた植木鉢１１１を、本考案による植木鉢及び支柱支持装置と組合せて用い、２つの縦支柱を支持するようにすることもできる。
【００５３】
図１６を参照すると、植木鉢１１１は、縦支柱１７を支持するための２つの支持具１１５、１１５を備えている。各支持具１１５は、植木鉢１１１の側壁１１２から外方に突出する、上面視で半楕円の膨出部１１６を含む。膨出部１１６、１１６は、植木鉢１１１の側壁１１２と一体的に形成され、上方の膨出部１１６は、植木鉢の上端近くに位置し、下方の膨出部１１６は、植木鉢の下端近くの、平面３０（図６参照）から一定の高さのところに位置している。上方及び下方の膨出部１１６、１１６は、それぞれ互いに整列された支柱挿通孔１１７、１１７を有している。縦支柱１７は、筒体３５がこれらの支柱挿通孔１１７、１１７に挿通され、フランジ３７が下方の膨出部１１６と、平面３０との間に位置付けられて、上記平面上に起立される。このような植木鉢１１１を本考案による支柱支持装置を用いた植木鉢１２と組合せて、グリーンカーテン用組立体の２つの縦支柱を支持するようにすることもできる。なお、植木鉢１１１は、全高さにわたって同一径を有する円形の植木鉢として示されている。１１３は植木鉢１１１の底壁である。
【００５４】
本考案の好ましい実施の形態を図示し説明したが、これらは単に例示であり、本考案の範囲を限定するものではない。本書の記載から、本考案の精神及び範囲を逸脱することなく多くの変形例や改変例や置換例等が可能であるが、これらの変形例や改変例や置換例等は本考案の保護の範囲に含まれるものと解釈されるべきである。
【産業上の利用可能性】
【００５５】
本考案のグリーンカーテン用組立体キット及び組立体は、２つの別個の植木用容器を用いるので、１つのプランタを用いる場合と比べ、製造や運搬に特に不都合をきたすことなく、比較的大型の、しかも安定性に優れた円形等の植木用容器を使用することができる。また、縦長に配置されたプランタのような植木用容器を使用することもできる。そのため、前後方向を含むグリーンカーテン用組立体の安定性を確保することができる。部品点数が少なく、組立ても容易である。
【符号の説明】
【００５６】
１１    グリーンカーテン用組立体
１２    植木鉢
１３    ネット用枠体
１５    本体部
１６    傾斜部
１７    縦支柱
１８    下側横支柱
１９    上側横支柱
２０    傾斜部横支柱
２１    ネット
２３    プランタ
２５    栽培土
２６    植木鉢の側壁
２８    植木鉢の底壁
３０    平面
３３    支柱挿通孔
３５    筒体
３７    フランジ
４５    上部支持具
４６    大径のリング部
４７    小径のリング部
４８    上部支柱挿通孔
１０１    上部支持具
１０３    リング部
１０４    フック部
１０６    上部支柱挿通孔
【図１】
0003173695.tif 000003
【図２】
0003173695.tif 000004
【図３】
0003173695.tif 000005
【図４】
0003173695.tif 000006
【図５】
0003173695.tif 000007
【図６】
0003173695.tif 000008
【図７】
0003173695.tif 000009
【図８】
0003173695.tif 000010
【図９】
0003173695.tif 000011
【図１０】
0003173695.tif 000012
【図１１】
0003173695.tif 000013
【図１２】
0003173695.tif 000014
【図１３Ａ】
0003173695.tif 000015
【図１３Ｂ】
0003173695.tif 000016
【図１３Ｃ】
0003173695.tif 000017
【図１４Ａ】
0003173695.tif 000018
【図１４Ｂ】
0003173695.tif 000019
【図１４Ｃ】
0003173695.tif 000020
【図１５】
0003173695.tif 000021
【図１６】
0003173695.tif 000022